(57)【特許請求の範囲】
【請求項１】
作業室内に設けられた作業台上の作業空間に拡がったにおいを除去するにおい除去システムであって、
前記作業台は、テーブルと、当該テーブル上の作業空間に設けられた間仕切りと、を備え、
当該間仕切りは、前記作業空間の背面側を覆う背板と、前記作業空間の側面側を覆う一対の側板と、前記背板の上端から作業空間側に延出する天板と、を備え、
前記背板の形状は、階段状であり、
当該背板の上端付近および下端付近には、第１吸込口が設けられ、
前記間仕切りの裏面側には、前記第１吸込口から前記作業室の床下空間に至る排気ダクトが設けられ、
前記作業空間の正面側上方の天井面には、無香の空気を前記作業空間に向かって吹き出す吹出口が設けられ、
前記作業空間の背面側上方の天井面には、空気を吸引する第２吸込口が設けられることを特徴とするにおい除去システム。
【請求項２】
前記作業台の下部には、前記排気ダクトに連通する第３吸込口が設けられることを特徴とする請求項１に記載のにおい除去システム。
【請求項３】
前記吹出口は、前記作業空間の正面側での風速が０．１ｍ／ｓ以下となるように、空気を吹き出すことを特徴とする請求項１または２に記載のにおい除去システム。
【発明の詳細な説明】
【技術分野】
【０００１】
本発明は、におい除去システムに関する。詳しくは、調香作業を行う作業台上の作業空間に拡がったにおいを除去するにおい除去システムに関する。
【背景技術】
【０００２】
従来より、複数の香料を調合して、所望の香りを創り出す調香作業が行われている。この調香作業では、香料が収容された容器を作業台上に複数配置しておき、作業者は、作業台に着席して、これらの容器から微量の香料を取り出して調合する。
この調香作業では、容器から香料を取り出す度に、取り出した香料のにおいが作業空間内に拡がるため、調香作業を精度よく行うためには、作業空間内に拡がったにおいを迅速に除去する必要があった。
【０００３】
そこで、例えば、以下のような作業台が知られている（特許文献１、２参照）。すなわち、この作業台は、テーブルと、このテーブル上の作業空間を囲むフードと、を備える。フードは、背板、天板、および一対の側板からなる。背板には、吸込口が設けられている。また、背板の裏面には排気ダクトが設けられており、この排気ダクトは、吸込口から天板の上面を通って、上方の天井まで延びている。
【０００４】
以上の作業台によれば、作業空聞内のにおいを吸込口から吸引して、排気ダクトを通して排出することにより、作業空間内に拡散したにおいを迅速に除去できるため、調香作業を精度よく行うことができる。
【先行技術文献】
【特許文献】
【０００５】
【特許文献１】特開２００４−２１１９４７号公報
【特許文献２】特開２００３−２６９７６３号公報
【発明の概要】
【発明が解決しようとする課題】
【０００６】
しかしながら、上述の手法では、以下のような問題点がある。
第１に、作業空間が天板やダクトで上から覆われているため、作業員の手元の視認性が低下する場合がある。
第２に、背板裏面に排気ダクトが設けられているため、作業台を対向して配置することができず、その結果、調香室内の空間を有効利用できない。
【０００７】
本発明は、作業台上の作業空間に拡散したにおいを確実に除去しつつ、作業員の手元の視認性を確保でき、かつ、作業室内の空間を有効利用できるにおい除去システムを提供することを目的とする。
【課題を解決するための手段】
【０００８】
請求項１に記載のにおい除去システムは、作業室内に設けられた作業台上の作業空間に拡がったにおいを除去するにおい除去システムであって、前記作業台は、テーブルと、当該テーブル上の作業空間に設けられた間仕切りと、を備え、当該間仕切りは、前記作業空間の背面側を覆う背板と、前記作業空間の側面側を覆う一対の側板と、前記背板の上端から作業空間側に延出する天板と、を備え、前記背板の形状は、階段状であり、当該背板の上端付近および下端付近には、第１吸込口が設けられ、前記間仕切りの裏面側には、前記第１吸込口から前記作業室の床下空間に至る排気ダクトが設けられ、前記作業空間の正面側上方の天井面には、無香の空気を前記作業空間に向かって吹き出す吹出口が設けられ、前記作業空間の背面側上方の天井面には、空気を吸引する第２吸込口が設けられることを特徴とする。
【０００９】
この発明によれば、吹出口から無香の空気を作業空間に向かって吹き出すとともに、第１吸込口および第２吸込口から空気を吸引する。吹き出した空気のほとんどは、テーブル上の作業空間を通って、第１吸込口に吸引される。よって、作業空間ににおいが拡がっても、このにおいは第１吸込口から吸引されるので、においを確実に除去できる。
【００１０】
また、吹き出した空気の一部が作業空間の上方に流れても、この空気は、天井面の第２吸込口に吸引される。よって、従来のように作業空間を天板やダクトで上から覆う必要がなく、作業空間の上方を開放できるから、作業員の手元の視認性を確保できる。
また、作業空間を上から覆うダクトや天板が不要となったため、作業台を対向配置することができ、作業室内の空間を有効利用できる。
【００１１】
また、作業空間の正面側上方の吹出口から作業空間に向かって無香の空気を吹き出したので、作業空間の正面側に作業員を配置すると、この空気は、作業員の背中側から作業空間側に抜けることになる。よって、従来のように作業空間の空気を吸引するだけでなく、作業員の周囲に無香の空気を供給するので、作業員周囲の温度や湿度などを適切な範囲に維持でき、作業環境を向上できる。
【００１２】
前記作業台の下部には、前記排気ダクトに連通する第３吸込口が設けられることを特徴とする。
【００１３】
この発明によれば、作業台の下部に排気ダクトに連通する第３吸込口を設けたので、作業員の足元に流れた空気を吸引でき、作業員の作業環境をより向上できる。
【００１４】
前記吹出口は、前記作業空間の正面側での風速が０．１ｍ／ｓ以下となるように、空気を吹き出すことを特徴とする。
【００１５】
調香作業を行う場合、電子天秤を用いて香料の重量を計測する場合があるが、吹き出した空気の作業空間の正面側での風速が約０．１ｍ／ｓを超える場合には、この空気の風圧により、調香作業に用いる電子天秤の精度が低下してしまう。
そこで、この発明によれば、作業空間の正面側での風速が０．１ｍ／ｓ以下となるように、吹出口から空気を吹き出したので、調香作業に用いる電子天秤の精度を低下させることなく、作業空間に拡散したにおいを迅速に除去できる。
【００１６】
前記間仕切りの上端には、前記作業空間側に延出する延出部が設けられることを特徴とする。
【００１７】
この発明によれば、間仕切りの上端に作業空間側に延出する延出部を設けたので、この突出部により、吹出口から作業空間に向かって吹き出された空気が間仕切りに当って跳ね返っても、この跳ね返った空気が上昇して拡がるのを防止できる。
【発明の効果】
【００１８】
本発明によれば、吹出口から無香の空気を作業空間に向かって吹き出すとともに、第１吸込口および第２吸込口から空気を吸引する。吹き出した空気のほとんどは、テーブル上の作業空間を通って、第１吸込口に吸引される。よって、作業空間ににおいが拡散しても、このにおいは第１吸込口から吸引されるので、においを確実に除去できる。また、吹き出した空気の一部が作業空間の上方に流れても、この空気は、天井面の第２吸込口に吸引される。よって、従来のように作業空間を天板やダクトで上から覆う必要がなく、作業空間の上方を開放できるから、作業員の手元の視認性を確保できる。また、作業空間を上から覆うダクトや天板が不要となったため、作業台を対向配置することができ、作業室内の空間を有効利用できる。
【図面の簡単な説明】
【００１９】
【図１】本発明の一実施形態に係るにおい除去システムが適用された調香室の縦断面図である。
【図２】前記実施形態に係る調香室の一部の拡大断面図である。
【図３】前記実施形態に係る調香室の作業空間に拡がったにおいを除去する手順を説明するための図である。
【発明を実施するための形態】
【００２０】
図１は、本発明の一実施形態に係るにおい除去システムが適用された作業室としての調香室１の縦断面図である。
調香室１の床６０には、複数の作業台ユニット２が並んで配置されている。各作業台ユニット２は、対向配置された作業台１０からなる。
【００２１】
各作業台１０は、互いに対向配置された一対のテーブル２０と、これら一対のテーブル２０を挟んで配置されて作業員Ａが着席する一対の座席３０と、各テーブル２０の上方の作業空間Ｓを囲む間仕切り４０と、を備える。
以下の説明において、作業空間Ｓの座席３０側つまり作業員Ａ側を、作業空間Ｓの正面側とする。
【００２２】
図２は、作業台ユニット２の断面図である。
テーブル２０は、図示しない脚部と、この脚部の上に設けられた天板２１と、天板２１の下方背面側を塞ぐ幕板２２と、を備える。
この幕板２２の下部には、水平方向に延びるスリット状の第３吸込口としての吸込口２３が形成されている。
【００２３】
間仕切り４０は、各作業空間Ｓの背面側を覆う背板４１と、各作業空間Ｓの側面側を覆う一対の側板４２と、各作業空間Ｓの上面側を覆う天板４３と、を備える。
各背板４１の形状は階段状であり、この背板４１には３段の棚４４が形成されている。なお、図示しないが、棚４４の上には、香料が収容された複数の容器が配置されている。
背板４１の上端付近および下端付近には、水平方向に延びるスリット状の２つの第１吸込口としての吸込口４５が形成されている。
【００２４】
天板４３は、ガラス、アクリル、ポリカーボネートなどの透明性の高い素材からなり、作業空間Ｓの上面を覆ってはいないが、背板４１の上端から作業空間Ｓ側に延出している。
【００２５】
以上の天板４３、背板４１、および幕板２２に囲まれた空間は、排気ダクト５０となっている。したがって、吸込口２３、４５は、この排気ダクト５０に連通していることになる。
【００２６】
図１に戻って、調香室１の床６０は、２重床であり、床下空間６１を有している。この床６０には、通気孔６２が形成され、上述の排気ダクト５０は、この通気孔６２を通して、床下空間６１に連通している。
この床下空間６１には、図示しない排気ファンが設けられている。この排気ファンを駆動することにより、排気ダクト５０内の空気は、通気孔６２を通して、床下空間６１に到達し、外部に排出される。
【００２７】
調香室１の天井面７０には、複数の吹出口７１および複数の第２吸込口としての吸込口７２が設けられている。
吹出口７１は、天井面７０のうち作業空間Ｓの正面側上方の位置に設けられ、給気ダクト７３が接続されている。この給気ダクト７３に無香の空気が供給されると、この空気は、吹出口７１から作業空間Ｓに向かって吹き出す。
なお、この無香の空気は、新鮮な外気でもよいし、調香室内から回収した空気を空調したものでもよい。
吸込口７２は、天井面７０のうち作業空間Ｓの背面側上方の位置に設けられ、排気ダクト７４が接続されている。調香室１内の空気は、この吸込口７２に吸引されて、排気ダクト７４を通って排出される。
【００２８】
以上の調香室１では、以下のような手順で、作業台１０上の作業空間Ｓに拡がったにおいを除去する。
まず、図３に示すように、作業員Ａが座席３０に着席した状態で、吹出口７１から無香の空気を吹き出すとともに、吸込口４５、２３、７２を通して、空気を吸引する。ここで、吹出口７１から吹き出す空気の作業員Ａの近傍における風速が０．１ｍ／ｓ以下となるようにする。
【００２９】
すると、吹出口７１から吹き出した空気のほとんどは、作業員Ａの背中側から作業空間Ｓに流れて、２つの吸込口４５に吸引される。また、吹出口７１から吹き出した空気の一部は、作業空間Ｓの下方つまり作業員Ａの足元に流れて、吸込口２３に吸引される。
吸込口４５、２３から吸引された空気は、排気ダクト５０、通気孔６２を通って床下空間６１に到達し、外部に排出される。
また、作業空間Ｓの上方つまり作業員Ａの頭上に流れた空気は、吸込口７２に吸引され、排気ダクト７４を通って、外部に排出される。
【００３０】
本実施形態によれば、以下のような効果がある。
（１）吹出口７１から無香の空気を作業空間Ｓに向かって吹き出すとともに、吸込口４５、７２から空気を吸引する。吹き出した空気のほとんどは、作業空間Ｓを通って、吸込口４５に吸引される。よって、作業空間Ｓににおいが拡がっても、このにおいは吸込口４５から吸引されるので、においを確実に除去できる。
【００３１】
また、吹き出した空気の一部が作業空間Ｓの上方に流れても、この空気は、天井面７０の吸込口７２に吸引される。よって、従来のように作業空間を天板やダクトで上から覆う必要がなく、作業空間Ｓの上方を開放できるから、作業員Ａの手元の視認性を確保できる。
また、作業空間Ｓを上から覆うダクトや天板が不要となったため、作業台１０を対向配置することができ、調香室１内の空間を有効利用できる。
【００３２】
また、作業空間の正面側上方の吹出口７１から作業空間Ｓに向かって無香の空気を吹き出したので、この空気は、作業員Ａの背中側から作業空間Ｓ側に抜けることになる。よって、従来のように作業空間の空気を吸引するだけでなく、作業員Ａの周囲に無香の空気を供給するので、作業員Ａの周囲の温度や湿度などを適切な範囲に維持でき、作業環境を向上できる。
【００３３】
（２）作業台１０の下部に排気ダクト５０に連通する吸込口２３を設けたので、作業員Ａの足元に流れた空気を吸引でき、作業員Ａの作業環境をより向上できる。
【００３４】
（３）作業空間Ｓの正面側での風速が０．１ｍ／ｓ以下となるように、吹出口７１から空気を吹き出したので、調香作業に用いる電子天秤の精度を低下させることなく、作業空間Ｓに拡がったにおいを迅速に除去できる。
【００３５】
（４）天板４３を背板４１の上端から作業空間Ｓ側に延出させたので、この天板４３により、吹出口７１から作業空間Ｓに向かって吹き出された空気が背板４１に当って跳ね返っても、この跳ね返った空気が上昇して拡散するのを防止できる。
【００３６】
（５）天板４３をガラス製としたので、作業空間Ｓの採光を確保でき、作業員Ａの手元の視認性をさらに向上できる。
【００３７】
なお、本発明は前記実施形態に限定されるものではなく、本発明の目的を達成できる範囲での変形、改良等は本発明に含まれるものである。
【符号の説明】
【００３８】
Ａ…作業員
Ｓ…作業空間
１…調香室（作業室）
２…作業台ユニット
１０…作業台
２０…テーブル
２１…天板
２２…幕板
２３…吸込口（第３吸込口）
３０…座席
４０…間仕切り
４１…背板
４２…側板
４３…天板（延出部）
４４…棚
４５…吸込口（第１吸込口）
５０…排気ダクト
６０…床
６１…床下空間
６２…通気孔
７０…天井面
７１…吹出口
７２…吸込口（第２吸込口）
７３…給気ダクト
７４…排気ダクト
【図１】
0005511068.tif 000002
【図２】
0005511068.tif 000003
【図３】
0005511068.tif 000004